(57)【要約】【課題】家庭において通常考えられるアクシデントである「水をこぼす」などでは壊れず、清掃性のよい生体情報収集装置を提供することを目的とする。【解決手段】本体ケース１１に、液晶報知部１２、ＬＥＤ報知部１３、各種スイッチ１４、生体情報を入力するための情報入力部１５、通信回線を通じて外部の通信先と通信するための通信部１６、前記各部を制御するための制御部１７を収めるとともに、前記液晶報知部１２およびＬＥＤ報知部１３と対応して孔１８，１９を形成し、これら液晶報知部１２、ＬＥＤ報知部１３を覆うごとく本体ケース１１にカバー２１を覆設したものである。したがって、家庭において通常考えられるアクシデントである「水をこぼす」などにより、本体上部に水等がかかっても本体内部への浸入を防止し、表示部や内部の電子部品が壊れるということはなく、また報知部に段差がなく清掃性が向上する。【選択図】図１
2005143883.tif 000002
【特許請求の範囲】
【請求項１】
使用者に報知するための液晶報知部と、使用者が操作をするための操作部と、生体情報を入力するための情報入力部と、通信回線を通じて外部の通信先と通信するための通信部と、前記各部を制御するための制御部と、前記各部を収めるとともに、少なくとも前記液晶報知部と対応して孔を形成した本体ケースとを備え、この液晶報知部を覆うごとく本体ケースにカバーを覆設した生体情報収集装置。
【請求項２】
液晶報知部ととともにＬＥＤ報知部を納めた本体ケースにこれら液晶報知部、ＬＥＤ報知部と対応し、かつカバーで覆われた孔を設けた請求項１記載の生体情報収集装置。
【請求項３】
カバーは外周が低くなるような傾斜状に設定した請求項１または２記載の生体情報収集装置。
【請求項４】
カバーの表面にインサート成形によりシートを配置し、前記カバーおよびシートの一部を透明とした請求項１または２記載の生体情報収集装置。
【請求項５】
シートにエンボス加工を施すことで操作部を形成した請求項１または２記載の生体情報収集装置。
【請求項６】
カバーを前下がりの傾斜状に設定した請求項１または２記載の生体情報収集装置。
【発明の詳細な説明】
【技術分野】
【０００１】
本発明は、患者及びその家族あるいは看護する人（以下患者も含めて生体情報収集装置を使用する人のことを使用者と呼ぶ）が家庭に居ながらにして各種測定機器により自分自身及び患者のさまざまな生体情報を採取し、その生体情報を健康管理に用いる、あるいは病院に伝送することにより医師による遠隔診断を行うことを可能とする生体情報収集装置に関する。
【背景技術】
【０００２】
従来この種の生体情報収集装置は、各種測定機器によりさまざまな生体情報を採取し、その生体情報を用いて健康管理を行う、あるいは病院の医師に伝送することにより遠隔診断が行えるようにする装置が考えられており、使用者が生体情報収集装置を使用して、家に居ながらにして生体情報を収集することを可能としている（例えば、特許文献１参照）。
【０００３】
図４は従来の生体情報収集装置を示すもので、１は各種測定機器を赤外線などの通信手段やキーボードなどを用いて入力する情報入力部、２は外部の通信先と通信するための通信部、３は報知部である。
【０００４】
前記入力部１、通信部２、報知部３は制御部４で制御されるもので、情報入力部１によって入力された情報はこの制御部４を経て通信部２により外部の通信先に通信され、報知部３により入力された情報を使用者に報知するようにできている。
【０００５】
このようにして、使用者により入力された情報は通信部２によって外部の通信回線を通じて医療機関などに設置されたホストコンピュータに伝えられ、医師などがこのホストコンピュータに蓄えられた情報にアクセスすることにより、遠隔的に患者の生体情報を知ることができる。
【０００６】
また報知部３によって、入力された情報を使用者に報知することにり、使用者自身でその生体情報を用いて健康管理を行うことができる。
【０００７】
このように従来の生体情報収集装置は医師と患者との間に物理的距離がある場合でも患者の生体情報を医師および患者が把握でき、医師と患者が相互に行き来することが充分できない場合でも充実した健康ケアができる。
【特許文献１】特開平９−４９８号公報
【発明の開示】
【発明が解決しようとする課題】
【０００８】
しかしながら、前記従来の生体情報収集装置は、測定機器により収集された生体情報を医師側に伝送し、その生体情報により医師が遠隔診断を行うものであるが、使用者が操作方法を熟知していないと、（１）生体情報を表示できず、健康管理が不可能、（２）生体情報を収集できず、健康管理が不可能であり、医師による遠隔診断も不可能、（３）生体情報を医師側に確実に伝送することができず、医師による遠隔診断が不可能などの状態となってしまう。そこで、操作方法を使用者が熟知しなくても操作を確実に誘導できるようにするためには、表示部による報知が必要かつ不可欠である。この場合、生体情報収集装置の性質上、家庭に設置されるため、家庭において通常考えられるアクシデントである「水をこぼす」などにより、表示部から水が浸入し、表示部や内部の電子部品が壊れるという課題があるとともに表面に段差等があると清掃しにくいという課題があった。
【０００９】
本発明は、前記従来の課題を解決するもので、家庭において通常考えられるアクシデントである「水をこぼす」などでは壊れず、清掃性もよい構成とした生体情報収集装置の提供を目的とする。
【課題を解決するための手段】
【００１０】
前記従来の課題を解決するために、本発明の生体情報収集装置は、使用者に報知するための液晶報知部と、使用者が操作をするための操作部と、生体情報を入力するための情報入力部と、通信回線を通じて外部の通信先と通信するための通信部と、前記各部を制御するための制御部と、前記各部を収めるとともに、少なくとも前記液晶報知部と対応して孔を形成した本体ケースとを備え、この液晶報知部を覆うごとく本体ケースにカバーを覆設したものである。
【００１１】
これによって、家庭において通常考えられるアクシデントである「水をこぼす」などにより、本体上部に水等がかかっても本体内部への浸入を防止し、表示部や内部の電子部品が壊れるということを防止できる。
【発明の効果】
【００１２】
以上のように、本発明によれば、家庭において通常考えられるアクシデントである「水をこぼす」などでは壊れない上、清掃性が向上するという効果がある。
【発明を実施するための最良の形態】
【００１３】
本発明の実施の形態は、使用者に報知するための液晶報知部と、使用者が操作をするための操作部と、生体情報を入力するための情報入力部と、通信回線を通じて外部の通信先と通信するための通信部と、前記各部を制御するための制御部と、前記各部を収めるとともに、少なくとも前記液晶報知部と対応して孔を形成した本体ケースとを備え、この液晶報知部を覆うごとく本体ケースにカバーを覆設したものである。
【００１４】
したがって、家庭において通常考えられるアクシデントである「水をこぼす」などにより、本体上部に水等がかかっても本体内部への浸入を防止し、表示部や内部の電子部品が壊れるということはなく、表示部に段差がなく清掃性が向上する。
【００１５】
対象となる報知手段は、液晶報知部に特定されるものではなく、ＬＥＤ報知部についても同様なことがいえる。
【００１６】
そして、カバーとして、外周が低くなるような傾斜状に設定しておくことで、さらに水こぼれなどに対して万全となる。
【００１７】
カバーの表面にインサート成形によりシートを配置し、前記カバーおよびシートの一部を透明とすれば、アルコール等で清掃されても報知部分に微細クラック等が入って曇り、見えにくくなるということがない。
【００１８】
操作部はシートにエンボス加工を施すことで形成す。またカバーの傾斜前下がりの状とすることも考えられる。
【実施例】
【００１９】
以下、本発明の実施例について図面を参照しながら説明する。
【００２０】
（実施例１）
図１、２において、本体ケース１１には液晶報知部１２、ＬＥＤ報知部１３、各種スイッチ１４とともに、情報入力部１５と、通信部１６と、それらを制御する制御部１７が内設してある。
【００２１】
本体ケース１１の頂壁には、液晶報知部１２、ＬＥＤ報知部１３および各種スイッチ１４と対応して孔１８，１９，２０が形成してある。そして、これら孔１８，１９，２０は本体ケース１１の頂壁に覆設したカバー２１で閉じられている。
【００２２】
前記カバー２１は透明度が非常に高いアクリル樹脂でつくられており、さらにその上面には薬品に強いＰＥＴ製のシート２２がインサート成形により装着されている。少なくと前記シート２２において、液晶報知部１２、ＬＥＤ報知部１３を臨ませる孔１８，１９と対応する部分が透明としてある。
【００２３】
各種スイッチ１４の可動部２３はラーメン構造をなしており、孔２０にこの可動部２３が臨んでいる。そして可動部２３に対応して操作部２４が前記シート２１にエンボス加工により形成してある。図１に示す操作部２４は総括的なもので、実際は図２のように上下の選択ボタン２４ａ，２４ｂと決定ボタン２４ｃおよびキャンセルボタン２４ｄとから構成されている。
【００２４】
本体ケース１１の側壁には前記通信部１６に外部の通信回線が接続される端子接続部２５が形成してある。
【００２５】
以上のように構成された生体情報収集装置において、使用者Ａは各種生体情報を収集しようとする場合、最初に操作を誘導する報知内容、「何の測定をおこないますか？Ａ：血圧、Ｂ：体重、Ｃ：血糖値」が制御部１７を通して液晶報知部１２に報知される。
【００２６】
報知された内容に対し、使用者Ａは上下の選択ボタン２４ａ，２４ｂと決定ボタン２４ｃおよびキャンセルボタン２４ｄにより選択及び決定、あるいはキャンセル後さらに選択及び決定をすると、選択した測定に合わせて「Ａの入力部に血圧計のコードを接続してください。」等が制御部１７を通して液晶報知部１２に報知されるとともに、ＬＥＤ報知部１３のひとつが光ることによってどこの情報入力部１５にコードを接続すればよいかも使用者Ａに報知される。
【００２７】
ここで、生体情報収集装置に対応する各種測定機器を生体情報収集装置の情報入力部１５に接続し、各種の測定を行う。この状態で各種測定機器により測定された生体情報が生体情報収集装置へと伝送される。
【００２８】
この時、測定中の情報が制御部１７を通して液晶報知部１２で使用者Ａに報知される。その後、「測定が終了しました。」が液晶報知部１２を介して使用者Ａに報知される。
【００２９】
次いで、測定結果が液晶報知部１２で報知されると同時に、制御部１７を通して通信部１６から電話回線を介して病院にいる医師まで測定した生体情報が伝送される。
【００３０】
生体情報の伝送中には制御部１７によってＬＥＤ報知部１３のひとつが点滅し、伝送が終了すると消灯して使用者Ａに伝送中なのか伝送が終了したのかを報知する。そして、伝送された生体情報により医師が診断することができるわけである。
【００３１】
ところで、水などを生体情報収集装置にこぼした場合、通常なら液晶報知部１２、ＬＥＤ報知部１３の窓枠と本体ケース１１との隙間、ＬＥＤ報知部１３の光の透過部の窓枠と本体ケース１１との隙間、操作部２４と本体ケース１１との隙間などから水が内部に侵入するが、本実施例ではカバー２１によって隙間なく本体ケース１１を覆っており、水が本体ケース１１の内部に侵入することがない。
【００３２】
また、カバー２１はその外周部が下がるように傾斜しているため、例え、水がかかっても孔１８，１９，２０から本体ケース１１内部に水が侵入することがなく、内部部品の故障を防止することができる上、清掃性もよく清潔に保つことができる。
【００３３】
さらに、本体ケース１１にラーメン構造の可動部２３を形成したことにより、各種スイッチ１４の操作構成として部品を別途追加する必要がない。
【００３４】
加えて、カバー２１を透明度の高いアクリル樹脂とし、これにインサート成形されたＰＥＴ製のシート２２に透明部を設けるとともに、これにＬＥＤ報知部１３の孔１９を対向させたたことで、ＬＥＤ報知部１３の光を透過するための部品を別途追加する必要がなく、外郭表面がアルコール等で清掃されてもカバー２１に微細クラック等が入って曇り、見えにくくなるということがない。
【００３５】
なお、本実施例において、スイッチ１４の操作部２４を上下の選択ボタンと決定ボタンおよびキャンセルボタンとしたが、「ＹＥＳ」「ＮＯ」ボタンとかの簡易なものでもよく、あるいは、操作部を使用せず、別途マイクを備えるか、情報入力部１５を利用して音声による操作とすれば、さらに操作性を快適なものとすることができる。
【００３６】
また、病院にいる医師からの診断結果や問診などを電話回線を通して生体情報収集装置の通信部１６へ伝送し、制御部１７を通して液晶報知部１２により使用者Ａに報知されるようにすれば、診断結果を参考に健康管理することができ、問診に対しては操作部２４あるいはマイクや情報入力部１５を利用して音声により答えられるようにしたり、情報入力部１５から再度生体情報を収集し、医師に伝送することもでき、最初に伝送した生体情報により医師が判断できないような状況があったとしても、別途電話等で話す必要がなく、生体情報収集装置だけで遠隔診断を完了することができ、医師とのコミュニケーションがより緊密になり、医師の診断をより確実にすることができる。
【００３７】
（実施例２）
図３に示すものは、カバー２１を前下がりの傾斜状に設定したもので、水がかかっても本体ケース１１の内部への浸水を確実に防止し、しかも使用者Ａに見やすくしたものである。
【産業上の利用可能性】
【００３８】
以上のように本発明にかかる生体情報収集装置は、安定した使用ができるもので、例えば、遠隔診断による健康管理などに応用できるものである。
【図面の簡単な説明】
【００３９】
【図１】本発明の実施例１における生体情報収集装置の断面図
【図２】同生体情報収集装置の斜視図
【図３】本発明の実施例２における生体情報収集装置の斜視図
【図４】従来の生体情報収集装置の構成図
【符号の説明】
【００４０】
１１  本体ケース
１２  液晶報知部
１３  ＬＥＤ報知部
１５  情報入力部
１６  通信部
１７  制御部
１８、１９、２０  孔
２１  カバー
２２  シート
２４  操作部
【図１】
2005143883.tif 000003
【図２】
2005143883.tif 000004
【図３】
2005143883.tif 000005
【図４】
2005143883.tif 000006